(57)【要約】【課題】  ティッシュペーパー、ビニール、布、石鹸等の衛生部材をコンパクトに収納することができ、それぞれの衛生部材を独立して保管することができ、使用者が衛生部材を取り出す時や取り出し後に、使用者の手指が汚染されても他の衛生部材が汚染されず、使用者が衛生部材を取り出す時に、使用者が誤って衛生部材を落とすことのない衛生部材の収納具を提供することを目的とする。【解決手段】  ロール状部材１０と、粘着性接合部材２０と、ロール状部材１０を密閉可能な収納部材３０、３１とを備え、ロール状部材１０と収納部材３０、３１とが粘着性接合部材２０で接合されていることを特徴とする、ロール収納具１である。【選択図】      図１
2017124095.tif 000002
【特許請求の範囲】
【請求項１】
ロール状部材と、粘着性接合部材と、ロール状部材を密閉可能な収納部材とを備え、ロール状部材と収納部材とが粘着性接合部材で接合されていることを特徴とする、ロール収納具。
【請求項２】
収納部材が複数である、請求項１記載のロール収納具。
【請求項３】
ロール状部材が、ティッシュペーパー、ビニール、布、または石鹸である、請求項１または２記載のロール収納具。
【発明の詳細な説明】
【技術分野】
【０００１】
本発明は、ロール収納具に関する。特に、ティッシュペーパー、ビニール、布、石鹸等のロール状部材の収納に適したロール収納具に関する。
【背景技術】
【０００２】
従来、携帯して使用される機会の多い携帯用ティッシュペーパー等の衛生部材は、同一の収納容器の中で、連続して取り出すことができるように作製されている。このため、公衆便所等で使用するとき、手指が汚染されると、衛生部材を丸ごと破棄しなければならなくなってしまう。特に、清掃が行き届いていない公衆便所等では、手指が汚染される可能性が高い。また、収容容器には、同一の衛生部材を連続して取り出せるように収納されているので、複数種類の衛生部材を、一つの収納容器に入れることは、困難である。よって、薬の錠剤の包装のように、種類別に個別に収納されている。
【０００３】
トイレ内の取り替え用である予備トイレットペーパーを個々に包装することによって衛生的であり、複数の連結による、吊り下げ保管に関し、トイレ内において複数のトイレットペーパーをホコリ等から守り、トイレ内にペーパー置場としての棚等が必要なく、用便中においても手が届くように手元に吊るせる包装形態をもつロール状のトイレットペーパーの提供を目的として、ロール状のトイレットペーパーを個々に包装され，その複数の連結からなり，この連結部分の中央にミシン目を設けることで、個々に分離でき，ミシン目下部に本発明品を吊り下げ用穴が開いている包装を、ほどこしたトイレットペーパーが、報告されている（特許文献１）。
【０００４】
しかしながら、同様の構造の収納容器に使用すると、各トイレットペーパーを個別に分離することを目標としているため、吊り下げ用穴が嵩張り、コンパクトに収納しにくい、使用者が衛生部材を取り出すときに、誤って衛生部材を落とし易い、という問題がある。
【先行技術文献】
【特許文献】
【０００５】
【特許文献１】特開平１０−２８６１９５号公報
【発明の概要】
【発明が解決しようとする課題】
【０００６】
本発明は、ティッシュペーパー、ビニール、布、石鹸等の衛生部材をコンパクトに収納することができ、それぞれの衛生部材を独立して保管することができ、使用者が衛生部材の取り出す時や取り出し後に、使用者の手指が汚染されても他の衛生部材が汚染されず、使用者が衛生部材を取り出す時に、使用者が誤って衛生部材を落とすことのない衛生部材の収納具を提供することを目的とする。
【課題を解決するための手段】
【０００７】
本発明は、以下に示す構成によって上記課題を解決したロール収納具に関する。
〔１〕ロール状部材と、粘着性接合部材と、ロール状部材を密閉可能な収納部材とを備え、ロール状部材と収納部材とが粘着性接合部材で接合されていることを特徴とする、ロール収納具。
〔２〕収納部材が複数である、上記〔１〕記載のロール収納具。
〔３〕ロール状部材が、ティッシュペーパー、ビニール、布、または石鹸である、上記〔１〕または〔２〕記載のロール収納具。
【発明の効果】
【０００８】
本発明〔１〕によれば、ティッシュペーパー、ビニール、布、石鹸等の衛生部材をコンパクトに収納することができ、それぞれの衛生部材を独立して保管することができ、使用者が衛生部材の取り出し時や取り出し後に、使用者の手指が汚染されても他の衛生部材は汚染されず、使用者が衛生部材を取り出す時に、使用者が誤って衛生部材を落とすことのない衛生部材の収納具を提供することができる。
【図面の簡単な説明】
【０００９】
【図１】本発明のロール収納具の長手方向の断面の模式図の一例である。
【図２】本発明の収納部材の蓋部を省略したロール収納具の上面図の模式図の一例である。
【発明を実施するための形態】
【００１０】
以下、本発明を実施形態に基づいて具体的に説明する。なお、％は特に示さない限り、また数値固有の場合を除いて質量％である。
【００１１】
本発明のロール収納具（以下、ロール収納具という）は、ロール状部材と、粘着性接合部材と、ロール状部材を密閉可能な収納部材とを備え、ロール状部材と収納部材とが粘着性接合部材で接合されていることを特徴とする。収納部材は、複数であると、ロール部材の収納密度を高くし易い観点から、好ましい。ここで、ロール状部材は、所望の大きさにすることができ、収納部材は、ロール部材の大きさに応じて適宜決めることができる。粘着性接合部材は、ロール状部材と収納部材とを接合するのに適度な強度を与えることができる大きさであればよい。
【００１２】
図１に、ロール収納具の長手方向の断面の模式図の一例（粘着性結合部材を含む断面である）を、図２に、本発明の収納部材の蓋部を省略したロール収納具の上面図の模式図の一例を示す。図１、図２は、図２の横方向が長手方向、縦方向が短手方向である例である。
【００１３】
図１では、ロール収納具１は、ロール状部材１０と、粘着性接合部材２０と、ロール状部材１０を密閉可能な収納部材３０、３１とを備え、ロール状部材１０と収納部材３０、３１とが粘着性接合部材２０で接合されている。ここで、収納部材３０、３１は、収納部材の皿部３０と収納部材の蓋部３１から構成されており、接合部３２を接着することにより、ロール状部材１０を密閉することができる。
【００１４】
図２では、収納部材の皿部３０に、ロール状部材１０を収納した後、粘着性接合部材２０で、ロール状部材１０と収納部材３０で接合されている例である。ロール収納具１は、収納部材の接合部３２で、収納部材の皿部３０と収納部材の蓋部３１を接合することにより形成される。
【００１５】
ロール状部材は、衛生部材をロール状にすることにより、衛生部材を収納に適したコンパクトなサイズにする。ロール状部材は、円筒状であれば、特に限定されず、ティッシュペーパー、ビニール、布、石鹸等をロール状にしたものが挙げられる。ティッシュペーパー、ビニール、布は、公知の方法で、容易にロール状にすることができる。石鹸の場合には、ロール状（円筒状）に成形した石鹸を使用することができ、ロール状に成形した石鹸が、粘着性接合部材と十分な粘着力が得られにくい場合には、ロール状に成形した石鹸の表面を、水溶性の樹脂等で被覆することが好ましい。ロール状部材の大きさの一例は、外径形が１〜５ｃｍ、長さが２〜８ｃｍである。
【００１６】
粘着性接合部材は、ロール状部材と収納部材とを接合することにより、使用者がロール収納具から衛生部材を取り出すときに、使用者が誤って衛生部材を落とすことを防止する。粘着性接合部材は、特に限定されるものではなく、セロハンテープ、ポリエチレンテレフタレート（ＰＥＴ）フィルムの所望の部分に粘着材や接着剤を塗布したもの等が挙げられる。粘着性接合部材は、テープ状であると、ハンドリングの観点から好ましい。
【００１７】
収納部材は、特に限定されず、ロール状部材を密閉可能なものであればよい。収納部材としては、外部からの汚れや菌に対して、収納されたロール状部材を保護することができるように密閉が可能であるものが、好ましい。また、収納部材は、ロール収納具に外力が働いたときに、ロール状部材を保護することができる強度を有する、と好ましい。収納部材の材質としては、ポリエチレンテレフタレート（ＰＥＴ）、ポリエチレン（ＰＥ）、ポリプロピレン（ＰＰ）、アルミフィルム等が、挙げられる。ロール収納具に収納部材を複数形成する場合の収納部材の間隔の一例は、長手方向、短手方向ともに、３〜１０ｍｍである。
【００１８】
ロール部材は、収納部材を複数にすることにより、他種類の衛生部材を１つのロール収納具に含有させることができる。また、ロール部材は、収納部材を複数にすることにより、手指が汚染されても他の衛生部材は汚染されない。また、衛生部材の残量等の管理が、視覚で容易になり、確実性を高めることができる。
【００１９】
また、ロール収納具に、チェーン等を取付け、首からぶら下げ可能とすることにより、片手で、ロール状部材を取り出すことが可能とすることができる。
【００２０】
以上のように、本発明により、ティッシュペーパー、ビニール、布、石鹸等の衛生部材をコンパクトに収納することができ、それぞれの衛生部材を独立して保管することができ、衛生部材の取り出し時や取り出し後に、手指が汚染されても他の衛生部材は汚染されず、誤って衛生部材を落とすことのない衛生部材の収納具を提供することができる。
【符号の説明】
【００２１】
１１    ロール収納具
１０    ロール状部材
２０    粘着性接合部材
３０    収納部材の皿部
３１    収納部材の蓋部
３２    収納部材の接合部
【図１】
2017124095.tif 000003
【図２】
2017124095.tif 000004